(57)【要約】【課題】扁平円形容器２５を回転させる毎に１個ずつ抽選物を確実に繰り出すことができ、構造を簡単にすることができる回転式抽選器１を提供することを目的とする。【解決手段】回転式抽選器１は傾斜基板台２に中心ピン３５で回転自在に薄い扁平円形容器２５が軸支されることで形成される。傾斜基板台２は受け部１０を有する一時保持開口５を備えた表側基板３と吐出口１２を備えた裏側基板１１とからなり、扁平円形容器２５はハンドル２６を有する円形表蓋板２８と外周縁の一部に切欠部２９を有する円形裏蓋板３１との間に、抽選物の厚さより僅かに厚く、かつ一部に離間した開口部３２を有する略Ｃ字型リング状の枠体３３を挟み込んで接着して形成される。【選択図】図１
2007219921.tif 000002
【特許請求の範囲】
【請求項１】
立脚部で支持した傾斜基板台に中心ピンで回転自在に薄い扁平円形容器が軸支され、該扁平円形容器の内部に複数個の抽選物を収納し、該扁平円形容器の回転により１個ずつ前記傾斜基板台の下方に形成した吐出口から抽選物を繰り出し、抽選物排出口から排出する回転式抽選器であって、
前記傾斜基板台は、中央部に前記扁平円形容器が設置される円形開口部、該円形開口部の下部に連続して形成された受け部を有する抽選物の一時保持用開口、及び該円形開口部の上部に連続して形成された補給開口等を備えた表側基板と、中央下部に前記抽選物の一時保持用開口と合致する位置に前記吐出口を備えた裏側基板とが隙間を生じるようにスペーサを介在させて接着して形成され、
前記扁平円形容器は、ハンドルを有する円形表蓋板と外周縁の一部に切欠部を有する円形裏蓋板との間に、前記抽選物の厚さより僅かに厚く、かつ一部に離間した開口部を有する略Ｃ字型リング状の枠体を挟み込んで接着して形成され、前記円形裏蓋板の切欠部が、前記枠体の離間した開口部より該扁平円形容器の回転方向後方に位置していることを特徴とする回転式抽選器。
【請求項２】
前記扁平円形容器は、前記表側基板に形成された円形開口部内に中心ピンで回転自在に軸支して設けられ、前記円形表蓋板の外周縁が前記表側基板の円形開口部外側周縁の表側に位置し、前記円形裏蓋板の外周縁が前記傾斜基板台の表側基板と裏側基板との間に形成された隙間に入り込んでいることを特徴とする請求項１に記載の回転式抽選器。
【発明の詳細な説明】
【技術分野】
【０００１】
本発明は、扁平円形容器の内部に収納した円板状の抽選物、あるいは球形の抽選物を扁平円形容器の回転により１個ずつ繰り出すようにした回転式抽選器に関する。
【背景技術】
【０００２】
近年、円筒状容器の内部に複数の球形の抽選物を収容し、該円筒状容器を中心軸の周りに回転させることにより該円筒容器から１個の球形の抽選物を振り出すようにした回転式抽選器は、所謂、ガラポン、ガラガラ、回転式福引器、回転式抽選器等として、商店街における景品やイベントにおける賞品を抽選するため等に用いられている。
【０００３】
従来、球形の抽選物の代わりに、円板状の抽選物を用いる回転式抽選器が提案され、この回転式抽選器は、対角稜に軸を有した回転可能な多角形容器と、この多角形容器の一側面に抽出口と連続し、かつ円板状の抽選物の直径と略同じ幅を有する扁平斜溝と、この容器の回転に伴い移動して２個以上の円板状の抽選物の潜入口への進入を直前に一時挟止し、容器の回転につれ一時挟止した円板状の抽選物を開放する移動壁と、からなるものである（特許文献１参照。）。
【特許文献１】特許第７７４１４号公報
【発明の開示】
【発明が解決しようとする課題】
【０００４】
前記従来の回転式抽選器（引用文献１）は、多角形容器を回転させたときに、複数の円板状の抽選物を同時に繰り出してしまうことは無いが、多角形容器の中で扁平斜溝が１個も円板状の抽選物を掬い取ることができない場合や、２個以上の円板状の抽選物が潜入口に詰まってしまう場合があり、その結果、多角形容器を回転させたとき１個も円板状の抽選物を繰り出すことができないことがある、という問題があり、また、多角形容器内に、扁平斜溝、移動壁等を設けるため構造が複雑になる、という問題がある。
【０００５】
そこで、本発明は、扁平円形容器を回転させる毎に１個ずつ抽選物を確実に繰り出すことができ、構造を簡単にすることができる回転式抽選器を提供することを目的とする。
【課題を解決するための手段】
【０００６】
請求項１に係る本発明は、立脚部で支持した傾斜基板台に中心ピンで回転自在に薄い扁平円形容器が軸支され、該扁平円形容器の内部に複数個の抽選物を収納し、該扁平円形容器の回転により１個ずつ前記傾斜基板台の下方に形成した吐出口から抽選物を繰り出し、抽選物排出口から排出する回転式抽選器であって、前記傾斜基板台は、中央部に前記扁平円形容器が設置される円形開口部、該円形開口部の下部に連続して形成された受け部を有する抽選物の一時保持用開口、及び該円形開口部の上部に連続して形成された補給開口等を備えた表側基板と、中央下部に前記抽選物の一時保持用開口と合致する位置に前記吐出口を備えた裏側基板とが隙間を生じるようにスペーサを介在させて接着して形成され、前記扁平円形容器は、ハンドルを有する円形表蓋板と外周縁の一部に切欠部を有する円形裏蓋板との間に、前記抽選物の厚さより僅かに厚く、かつ一部に離間した開口部を有する略Ｃ字型リング状の枠体を挟み込んで接着して形成され、前記円形裏蓋板の切欠部が、前記枠体の離間した開口部より該扁平円形容器の回転方向後方に位置している回転式抽選器、という構成により前記課題を解消したものである。
【０００７】
また、請求項２に係る本発明は、請求項１に係る本発明の回転式抽選器において、前記扁平円形容器は、前記表側基板に形成された円形開口部内に中心ピンで回転自在に軸支して設けられ、前記円形表蓋板の外周縁が前記表側基板の円形開口部外側周縁の表側に位置し、前記円形裏蓋板の外周縁が前記傾斜基板台の表側基板と裏側基板との間に形成された隙間に入り込んでいる、という構成としたものである。
【発明の効果】
【０００８】
請求項１に係る本発明の回転式抽選器によれば、傾斜基板台は、中央部に扁平円形容器が設置される円形開口部、該円形開口部の下部に連続して形成された受け部を有する抽選物の一時保持用開口、及び該円形開口部の上部に連続して形成された補給開口等を備えた表側基板と、中央下部に前記抽選物の一時保持用開口と合致する位置に吐出口を備えた裏側基板とが隙間を生じるようにスペーサを介在させて接着して形成され、前記扁平円形容器は、ハンドルを有する円形表蓋板と外周縁の一部に切欠部を有する円形裏蓋板との間に、抽選物の厚さより僅かに厚く、かつ一部に離間した開口部を有する略Ｃ字型リング状の枠体を挟み込んで接着して形成され、前記円形裏蓋板の切欠部が、前記枠体の離間した開口部より該扁平円形容器の回転方向後方に位置しているので、中心ピンで回転自在に軸支された扁平円形容器を回転させた場合、略Ｃ字型リング状の枠体の離間した開口部から振り出された円板状の抽選物を抽選物の一時保持用開口で保持しておき、さらなる扁平円形容器の回転により、円形裏蓋板の切欠部と抽選物の一時保持用開口が一致したときに繰り出されるため、該扁平円形容器の回転毎に確実に１個ずつ抽選物を繰り出すことができる。
【０００９】
また、回転式抽選器を構成する傾斜基板台が表側基板と吐出口を備えた裏側基板とで形成され、この傾斜基板台に軸支される扁平円形容器がハンドルを有する円形表蓋板と外周縁の一部に切欠部を有する円形裏蓋板との間に、抽選物の厚さより僅かに厚く、かつ一部に離間した開口部を有する略Ｃ字型リング状の枠体を挟み込んで接着して形成されているだけで、抽選物を一個ずつ繰り出すことができるため、回転式抽選器の構造を簡単にすることができる。
【００１０】
請求項２に係る本発明の回転式抽選器によれば、請求項１の本発明が奏する効果に加えて、前記扁平円形容器は、前記表側基板に形成された円形開口部内に中心ピンで回転自在に軸支して設けられ、前記円形表蓋板の外周縁が前記表側基板の円形開口部外側周縁の表側に位置し、前記円形裏蓋板の外周縁が前記傾斜基板台の表側基板と裏側基板との間に形成された隙間に入り込んでいるので、該扁平円形容器を回転させた場合、扁平円形容器が中心ピンで軸支され、表側基板と裏側基板との間に該外周縁が入り込んでいる円形裏蓋板が扁平円形容器の外れ防止として機能し、扁平円形容器を傾斜基板台から外れないようにして、安定して回転させることができる。
【発明を実施するための最良の形態】
【００１１】
本発明の実施例を図１乃至図１４に基づいて説明する。回転式抽選器１は、図１乃至図３に示すように、概略、傾斜基板台２に、回転自在に軸支された薄い扁平円形容器２５の内部に複数個の円板状の抽選物Ｍを収納し、扁平円形容器２５の回転により１個ずつ傾斜基板台２の下方に形成した吐出口１２から円板状の抽選物Ｍを後方に繰り出し、後方に繰り出した円板状の抽選物Ｍを傾斜ガイド板３８を介して抽選物排出口７から排出するものである。また、この回転式抽選器１を構成する各部品はボール紙、段ボール等の板紙製のものである。
【００１２】
傾斜基板台２は、図４に示すように、表側基板３と裏側基板１１とが隙間を生じるように、右上隅、左上隅にそれぞれ略三角形状のスペーサ２２、下方に略Ｈ字型状のスペーサ２３、及び中央部に円形スペーサ２４を介在させて接着して形成されている。
【００１３】
表側基板３は、図４に示すように、中央部に形成した円形開口部４と、円形開口部４の下部に連続して形成した抽選物の一時保持用開口５と、円形開口部４の右上に連続して形成した補給開口６と、中央最下部に形成した抽選物排出口７ａとを備え、抽選物の一時保持用開口５には折目８で谷折にされたフラップ片９を有する受け部１０が設けられている。円形開口部４は後述する扁平円形容器２５を設置するためのものであり、抽選物の一時保持用開口５は後述する離間した開口部３２から払い出された円板状の抽選物Ｍを一時的に保持するものである。
【００１４】
裏側基板１１は、図４及び図６に示すように、中央下部に吐出口１２と、中央最下部に抽選物排出口７ｂと、中央部に第一のピン孔１３と、左右両側に４つの差込口１４ａ、１４ｂ、１４ｃ、１４ｄとを備え、立脚部１５により支持される。裏側基板１１には、図６に示すように、折り曲げて立脚部１５とする左右対称な２枚の側板１６及び底板１７が設けられている。各側板１６は、図６に示すように、それぞれ側板１６ａ、側板１６ｂ、側板１６ｃ、及び側板１６ｄとからなり、裏側基板１１と側板１６ａとの間に折目１９ｄを有し、側板１６ａと側板１６ｂとの間に折目１９ｃを有し、側板１６ｂと側板１６ｃとの間に折目１９ｂを有し、側板１６ｃと側板１６ｄとの間に折目１９ａを有し、また、各側板１６には２個の差込片１８ａ、１８ｂが折目１９ａを介して延設されている。そして、底板１７は、図６に示すように、裏側基板１１に折目２０ｂを介して連続して設けられ、また、底板１７に折目２０ａを介して連続して設けられたフラップ片２１及び差込口１４ｅが設けられている。
【００１５】
扁平円形容器２５は、図５に示すように、円形表蓋板２８と円形裏蓋板３１との間に、円板状の抽選物Ｍの厚さより僅かに厚く、一部に離間した開口部３２を有する略Ｃ字型リング状の枠体３３を挟み込んで接着して形成され、略Ｃ字型リング状の枠体３３内側には収納部３４が形成される。円形表蓋板２８はハンドル２６及び中央部に第二のピン孔２７を備え、円形裏蓋板３１は外周縁の一部に切欠部２９及び第三のピン孔３０を備えている。また、扁平円形容器２５は、円形裏蓋板３１の切欠部２９が略Ｃ字型リング状の枠体３３の離間した開口部３２より扁平円形容器２５の回転方向後方に位置しており、ハンドル２６が離間した開口部３２と合致する位置に配置されている。そして、略Ｃ字型リング状の枠体３３の外周縁の直径は、円形開口部４の直径より僅かに小さくなっている。
【００１６】
次に回転式抽選器１の組立方法を説明する。傾斜基板台２の円形開口部４に扁平円形容器２５を軸支して設ける。すなわち、図８に示すように、扁平円形容器２５の円形表蓋板２８の外周縁が表側基板３の円形開口部４外側周縁の表側に位置し、円形裏蓋板３１の外周縁が傾斜基板台２の表側基板３と裏側基板１１との間の隙間に入り込むように、扁平円形容器２５を円形開口部４に嵌め込んで裏側基板１１に中心ピン３５で軸支する。
【００１７】
扁平円形容器２５を円形開口部４に嵌め込む場合、円形裏蓋板３１の外周縁は円形開口部４の直径より僅かに大きくなっているが、円形裏蓋板３１及び円形開口部４を設けた裏側基板１１は板紙製であるので折り曲げることができるため、まず円形裏蓋板３１の外周縁の一部に切欠部２９を設けることで形成された２個の角のいずれかを円形開口部４の裏側に入り込ませ、次に、該角に連続する円形裏蓋板３１の外周縁部から順に円形開口部４の裏側に入り込ませることで、扁平円形容器２５を円形開口部４に嵌め込むようにする。
【００１８】
もしくは、表側基板３と裏側基板１１とを接着して傾斜基板台２を形成するときに、予め円形裏蓋板３１を表側基板３と裏側基板１１との間の隙間に配置してから表側基板３と裏側基板１１とを接着し、次いで、円形表蓋板２８と円形裏蓋板３１とを略Ｃ字型リング状の枠体３３を挟み込んで接着することで、扁平円形容器２５を円形開口部４に設置してもよい。
【００１９】
扁平円形容器２５を傾斜基板台２に回転自在に装着する場合、中心ピン３５を図４に示すように、扁平円形容器２５の円形表蓋板２８と円形裏蓋板３１の中心に設けた第二のピン孔２７及び第三のピン孔３０、円形スペーサ２４、裏側基板１１の中央上部に設けた第一のピン孔１３、及び裏側基板１１の裏面で円板３６を貫通して設け、円板３６の背面で中心ピン３５にピン受け３７を嵌着する。
【００２０】
また、吐出口１２から裏側基板１１の背面へ繰り出された円板状の抽選物Ｍを抽選物排出口７へガイドするために傾斜ガイド板３８を傾斜基板台２後方に設ける。すなわち、傾斜ガイド板３８を、図３に示すように、立脚部１５の底板１７表面上に配置し、底板１７の有する差込口１４ｅに傾斜ガイド板３８の差込片３９が差し込み固定する。
【００２１】
裏側基板１１には、図６に示すように、左右対称な２枚の側板１６及び底板１７が設けられており、立脚部１５を以下のように組み立てる。各側板１６を裏側基板１１と折目１９ｄで山折して連接し、折目１９ｂ及び折目１９ｃを山折にし、折目１９ａを谷折にする。そして、底板１７を裏側基板１１と折目２０ｂで山折して連接し、折目２０ａを山折にすることで、左右両側に１枚ずつフラップ片２１を形成し、各フラップ片２１を図７に示すように、各側板１６を上述したように折り畳むことにより各側板１６及び裏側基板１１とで形成された差込用の空間にそれぞれ差し込む。また、各側板１６の差込片１８ａ、１８ｂを裏側基板１１に左右端部に設けられた差込口１４ａ、１４ｂ、１４ｃ、１４ｄに差し込む。
【００２２】
次に、回転式抽選器１の作用を説明する。まず、回転式抽選器１への円板状の抽選物Ｍの補給は、図９に示すように、ハンドル２６を補給開口６の位置に合致する位置に移動させてから行う。このとき、扁平円形容器２５の離間した開口部３２は円形表蓋板２８のハンドル２６の位置に合致する位置に設けられているため、補給開口６から投入された円板状の抽選物Ｍは離間した開口部３２から、扁平円形容器２５の収納部３４に収納される。
【００２３】
図９の状態から扁平円形容器２５を回転させたときの状態を図１０に示す。このとき、円形開口部４は表側基板３の離間した開口部３２の内周縁によって閉じられているので、収納部３４に収納された円板状の抽選物Ｍはその外部へ払い出されることはない。
【００２４】
図１０の状態から扁平円形容器２５を回転させ、離間した開口部３２が最下部に移動したときの状態を図１１に示す。このとき、収納部３４に収納されていた円板状の抽選物Ｍは、図２及び図１３に示すように、離間した開口部３２からその自重により払い出され、円板状の抽選物Ｍは抽選物の一時保持用開口５に一時的に保持される。このとき、円板状の抽選物Ｍは、図１３に示すように、一時的に保持された円板状の抽選物Ｍの背面には円形裏蓋板３１があるので、吐出口１２から円形裏蓋板３１の背面へ繰り出されることは無い。
【００２５】
図１１の状態から扁平円形容器２５を回転させ、円形裏蓋板３１の切欠部２９が最下部に移動したときの状態を図１２に示す。このとき、円板状の抽選物Ｍは、図１４に示すように、抽選物の一時保持用開口５、切欠部２９、及び吐出口１２を通って円形裏蓋板３１の背面へと繰り出され、傾斜基板台２の下部に設置された傾斜ガイド板３８によりガイドされ、抽選物排出口７の前面へ排出される。
【００２６】
次に、回転式抽選器１の効果について説明する。回転式抽選器１は、図５、図１３、及び図１４に示すように、略Ｃ字型リング状の枠体３３の離間した開口部３２、円形裏蓋板３１の切欠部２９、及び抽選物の一時保持用開口５を上述したように備えているので、中心ピン３５で回転自在に軸支された扁平円形容器２５を回転させた場合、略Ｃ字型リング状の枠体３３の離間した開口部３２から振り出された円板状の抽選物Ｍを抽選物の一時保持用開口５で保持しておき、さらなる扁平円形容器２５の回転により、円形裏蓋板３１の切欠部２９と抽選物の一時保持用開口５が一致したときに繰り出されるため、扁平円形容器２５の回転毎に確実に１個ずつ円板状の抽選物Ｍを繰り出すことができる。
【００２７】
このとき、図１３に示すように、略Ｃ字型リング状の枠体３３の厚さは円板状の抽選物Ｍの厚さより僅かに厚いので、円板状の抽選物Ｍは収納部３４内において複数重なること、及び離間した開口部３２から振り出される際に複数重なり詰まることを防止することができる。
【００２８】
また、図２、図１３、及び図１４に示すように、離間した開口部３２の離間距離は円板状の抽選物Ｍの直径より僅かに広く、略Ｃ字型リング状の枠体３３の外周縁の最下部と受け部１０の折目８との間の距離が円板状の抽選物Ｍの直径よりも僅かに広いので、一時的に保持される円板状の抽選物Ｍの枚数を１個に限定することができる。
【００２９】
回転式抽選器１を構成する傾斜基板台２が表側基板３と吐出口１２を備えた裏側基板１１とで形成され、この傾斜基板台２に軸支される扁平円形容器２５がハンドル２６を有する円形表蓋板２８と外周縁の一部に切欠部２９を有する円形裏蓋板３１との間に、円板状の抽選物Ｍの厚さより僅かに厚く、かつ一部に離間した開口部３２を有する略Ｃ字型リング状の枠体３３を挟み込んで接着して形成されているだけで、円板状の抽選物Ｍを一個ずつ繰り出すことができるため、回転式抽選器１の構造を簡単にすることができる。
【００３０】
扁平円形容器２５は、図４及び図８に示すように、表側基板３に形成された円形開口部４内に中心ピン３５で回転自在に軸支して設けられ、円形表蓋板２８の外周縁が表側基板３の円形開口部４外側周縁の表側に位置し、円形裏蓋板３１の外周縁が傾斜基板台２の表側基板３と裏側基板１１との間に形成された隙間に入り込んでいるので、扁平円形容器２５を回転させた場合、扁平円形容器２５が中心ピン３５で軸支され、表側基板３と裏側基板１１との間に外周縁が入り込んでいる円形裏蓋板３１が扁平円形容器２５の外れ防止として機能し、扁平円形容器２５を傾斜基板台２から外れないようにして、安定して回転させることができる。
【００３１】
立脚部１５は、図６及び図７に示すように、上述したように組み立てられ形成されているので、立脚部１５の各側板１６及び裏側基板１１とで形成された差込用の空間から２枚の底板１７のフラップ片２１を引き抜き、各側板１６の４個の差込片１８ａ、１８ｂを裏側基板１１の差込口１４ａ、１４ｂ、１４ｃ、１４ｄから外すことで、立脚部１５を折り畳むことができ、その結果、全体が平たくなるため、回転式抽選器１を持ち運び易くすることができる。
【００３２】
以上、実施例として回転式抽選器１の各部品を板紙製で形成したものについて説明したが、必ずしも板紙製である必要はなく、例えば、各部品をプラスチック製（透明、不透明又は着色）や金属プレート製のものとしても構わない。この場合は、立脚部を折り畳めるように、折目の部分を切り欠いて薄くしておくと折り畳めるようになる。また、ハンドル２６は離間した開口部３２と合致する位置に配置されるものとして説明したが、必ずしも合致する位置で配置される必要はなく、相互に位置をずらしてもよい。また、傾斜基板台２が傾斜した基板台として説明したが、垂直な基板台としてもよい。また、抽選物を円板状のものとして説明したが、球形の抽選物としてもよい。
【図面の簡単な説明】
【００３３】
【図１】本発明実施例の回転式抽選器を示す正面側の斜視図である。
【図２】本発明実施例の回転式抽選器を示し、円形表蓋板の一部を切欠した正面側の斜視図である。
【図３】本発明実施例の回転式抽選器を示す裏面側の斜視図である。
【図４】本発明実施例の回転式抽選器の分解斜視図である。
【図５】扁平円形容器の分解斜視図である。
【図６】裏側基板と展開された立脚部を示す裏面図である。
【図７】裏側基板と組立途中の立脚部を示す裏面側の斜視図である。
【図８】図１のＸ８−Ｘ８線の断面図である。
【図９】本発明実施例の回転式抽選器に円板状の抽選物を補給する時の状態説明図である。
【図１０】図９の状態から扁平円形容器を回転させたときの状態説明図である。
【図１１】図１０の状態から扁平円形容器を回転させ、離間した開口部が最下部に移動したときの状態説明図である。
【図１２】図１１の状態から扁平円形容器を回転させ、切欠部が最下部に移動したときの状態説明図である。
【図１３】図１のＸ１３−Ｘ１３線の断面図であって、略Ｃ字型リング状の枠体の離間した開口部を最下部に移動させた時の断面図である。
【図１４】図１３の状態からさらに時計回り方向に扁平円形容器を回転させた時の断面図である。
【符号の説明】
【００３４】
１  ・・・  回転式抽選器
２  ・・・  傾斜基板台
３  ・・・  表側基板
４  ・・・  円形開口部
５  ・・・  抽選物の一時保持用開口
６  ・・・  補給開口
７ａ、７ｂ  ・・・  抽選物排出口
８  ・・・  折目
９  ・・・  フラップ片
１０  ・・・  受け部
１１  ・・・  裏側基板
１２  ・・・  吐出口
１３  ・・・  第一のピン孔
１４ａ、１４ｂ、１４ｃ、１４ｄ、１４ｅ  ・・・  差込口
１５  ・・・  立脚部
１６ａ、１６ｂ、１６ｃ、１６ｄ  ・・・  側板
１７  ・・・  底板
１８ａ、１８ｂ  ・・・  差込片
１９ａ、１９ｂ、１９ｃ、１９ｄ  ・・・  折目
２０ａ、２０ｂ  ・・・  折目
２１  ・・・  フラップ片
２２  ・・・  略三角形状のスペーサ
２３  ・・・  略Ｈ字型状のスペーサ
２４  ・・・  円形スペーサ
２５  ・・・  扁平円形容器
２６  ・・・  ハンドル
２７  ・・・  第二のピン孔
２８  ・・・  円形表蓋板
２９  ・・・  切欠部
３０  ・・・  第三のピン孔
３１  ・・・  円形裏蓋板
３２  ・・・  離間した開口部
３３  ・・・  略Ｃ字型リング状の枠体
３４  ・・・  収納部
３５  ・・・  中心ピン
３６  ・・・  円板
３７  ・・・  ピン受け
３８  ・・・  傾斜ガイド板
３９  ・・・  差込片
Ｍ  ・・・  円板状の抽選物
【図１】
2007219921.tif 000003
【図２】
2007219921.tif 000004
【図３】
2007219921.tif 000005
【図４】
2007219921.tif 000006
【図５】
2007219921.tif 000007
【図６】
2007219921.tif 000008
【図７】
2007219921.tif 000009
【図８】
2007219921.tif 000010
【図９】
2007219921.tif 000011
【図１０】
2007219921.tif 000012
【図１１】
2007219921.tif 000013
【図１２】
2007219921.tif 000014
【図１３】
2007219921.tif 000015
【図１４】
2007219921.tif 000016